(57)【特許請求の範囲】
【請求項１】
リレーユーザ装置（UE）により、リモートUEのマルチメディアブロードキャストマルチキャストサービス（MBMS）監視要求を受信するステップと、
前記リレーUEにより、前記リモートUEからMBMSベアラのサービス品質（QoS）を取得するステップと、
前記リレーUEにより、前記MBMSベアラの前記QoSに従って、前記リモートUEに送信されるべきMBMSデータの送信優先度を決定するステップと、
前記リレーUEにより、前記リモートUEの前記MBMSデータの前記送信優先度に従って、前記リモートUEの前記MBMSデータを送信するステップと
を含むデータ処理方法。
【請求項２】
前記MBMS監視要求は、前記MBMSベアラの一時移動体グループ識別子（TMGI）及び前記MBMSベアラのQoSを含むTMGI監視要求である、請求項１に記載の方法。
【請求項３】
前記MBMSデータは、前記リレーUEにより、前記TMGIを検出した後に受信される、請求項２に記載の方法。
【請求項４】
前記リレーUEにより、TMGI監視応答を前記リモートUEに送信するステップであり、前記TMGI監視応答は、L2グループIDを含む、請求項２又は３に記載の方法。
【請求項５】
前記リレーUEにより、PDN接続を確立するステップを更に含む、請求項１乃至４のうちいずれか１項に記載の方法。
【請求項６】
リモートUEのマルチメディアブロードキャストマルチキャストサービス（MBMS）監視要求を受信するように構成された受信モジュールと、
前記リモートUEからMBMSベアラのサービス品質（QoS）を取得するように構成された取得モジュールと、
前記MBMSベアラの前記QoSに従って、前記リモートUEに送信されるべきMBMSデータの送信優先度を決定するように構成された決定モジュールと、
前記リモートUEの前記MBMSデータの前記送信優先度に従って、前記リモートUEの前記MBMSデータを送信するように構成された送信モジュールと
を含むデータ処理デバイス。
【請求項７】
前記MBMS監視要求は、前記MBMSベアラの一時移動体グループ識別子（TMGI）及び前記MBMSベアラのQoSを含むTMGI監視要求である、請求項６に記載のデバイス。
【請求項８】
前記MBMSデータは、リレーUEにより、前記TMGIを検出した後に受信される、請求項７に記載のデバイス。
【請求項９】
TMGI監視応答を前記リモートUEに送信するための手段であり、前記TMGI監視応答は、L2グループIDを含む、請求項７又は８に記載のデバイス。
【請求項１０】
PDN接続を確立するための手段を更に含む、請求項６乃至９のうちいずれか１項に記載のデバイス。
【請求項１１】
リモートユーザ装置（UE）により、一時移動体グループ識別子（TMGI）監視要求をリレーUEに送信するステップであり、前記TMGI監視要求は、マルチメディアブロードキャストマルチキャストサービス（MBMS）ベアラのTMGI及び前記MBMSベアラのサービス品質（QoS）を含むステップと、
前記リモートUEにより、前記リレーUEからTMGI監視応答を受信するステップと、
前記リモートUEにより、前記リレーUEからMBMSデータを受信するステップであり、前記MBMSデータの送信優先度は、前記MBMSベアラの前記QoSに従って決定されるステップと
を含むデータ処理方法。
【請求項１２】
前記MBMSデータは、前記リレーUEにより、前記TMGIを検出した後に受信される、請求項１１に記載の方法。
【請求項１３】
前記TMGI監視応答は、L2グループIDを含む、請求項１１又は１２に記載の方法。
【請求項１４】
一時移動体グループ識別子（TMGI）監視要求をリレーユーザ装置（UE）に送信するための手段であり、前記TMGI監視要求は、マルチメディアブロードキャストマルチキャストサービス（MBMS）ベアラのTMGI及び前記MBMSベアラのサービス品質（QoS）を含む手段と、
前記リレーUEからTMGI監視応答を受信するための手段と、
前記リレーUEからMBMSデータを受信するための手段であり、前記MBMSデータの送信優先度は、前記MBMSベアラの前記QoSに従って決定される手段と
を含むデータ処理デバイス。
【請求項１５】
前記MBMSデータは、前記リレーUEにより、前記TMGIを検出した後に受信される、請求項１４に記載のデバイス。
【請求項１６】
前記TMGI監視応答は、L2グループIDを含む、請求項１４又は１５に記載のデバイス。
【請求項１７】
請求項６乃至１０のうちいずれか１項に記載のデバイスと、請求項１４乃至１６のうちいずれか１項に記載のデバイスとを含む通信システム。
【請求項１８】
コンピュータに請求項１乃至５のうちいずれか１項に記載の方法を実行させるプログラム。
【請求項１９】
コンピュータに請求項１１乃至１３のうちいずれか１項に記載の方法を実行させるプログラム。
【発明の詳細な説明】
【技術分野】
【０００１】
本発明の実施例は、モバイル通信技術に関し、特にデータ処理方法及びデバイスに関する。
【背景技術】
【０００２】
無線通信では、データ伝送効率を改善するために、近接サービス（Proximity  Services,  略称Prose）技術が使用され、それにより、ネットワークカバレッジ外のユーザ装置（User  Equipment,  略称UE）は、ネットワークカバレッジ内のUEを中継器として使用することにより、ネットワーク側と通信する。
【０００３】
説明を容易にするために、ネットワークカバレッジ外のUEは、リモートUE（Remote  UE）と呼ばれ、ネットワークカバレッジ内のUEは、リレーUE（Relay  UE）と呼ばれる。従来技術では、リレーUEは、リモートUEのデータを伝送するために、サービング／パケットデータネットワークゲートウェイ（Serving/Packet  Data  Network-Gateway,  略称S/PGW）に対応するパケットデータネットワーク（Packet  Data  Network,  略称PDN）接続を確立し、リモートUEは、サービスをリモートUEに提供できるリレーUEを決定してリレーUEと通信接続を確立するために、ProSe技術におけるディスカバリ技術を使用し、リレーUEは、インターネットプロトコル（Internet  Protocol,  略称IP）アドレスをリモートUEに割り当て、IPアドレスを取得した後に、リモートUEは、リレーUEとS/PGWとの間のPDN接続を使用することにより、ネットワーク側と通信する。
【０００４】
しかし、従来技術における方法を用いて、リモートUEがリレーUEのPDN接続を使用することによりデータを伝送するとき、リモートUEのサービス品質（Quality  of  Service,  略称QoS）が保証できない。
【発明の概要】
【０００５】
本発明の実施例は、リモートUEがリレーUEのPDN接続を使用することによりデータを伝送するとき、リモートUEのQoSを保証するためのデータ処理方法及びデバイスを提供する。
【０００６】
第１の態様によれば、本発明の実施例は、データ処理方法を提供し、
ポリシー及び課金ルール機能PCRFエンティティにより、リモートユーザ装置UEの加入情報を取得するステップと、
PCRFエンティティにより、リモートUEの加入情報及びサービス品質QoSに従って、リレーUEのQoSルールを決定するステップと、
PCRFエンティティにより、QoSルールをパケットデータネットワークゲートウェイPGWに送信するステップであり、QoSルールは、PGWにより、リレーUEのベアラを変更又は確立するために使用され、リレーUEのベアラは、リレーUEにより、リモートUEのデータを転送するために使用されるステップと
を含む。
【０００７】
第１の態様を参照して、第１の態様の第１の可能な実現方式では、PCRFエンティティにより、リモートUEの加入情報を取得するステップは、
PCRFエンティティにより、リモートUEの識別子に従って、加入プロファイルレポジトリSPRからリモートUEの加入情報を取得するステップを含む。
【０００８】
第１の態様又は第１の態様の第１の可能な実現方式を参照して、第１の態様の第２の可能な実現方式では、PCRFエンティティにより、リモートUEの加入情報を取得する前に、方法は、
PCRFエンティティにより、PGWにより送信されたリモートUEの識別子を受信するステップを更に含む。
【０００９】
第１の態様又は第１の態様の第１の可能な実現方式若しくは第２の可能な実現方式を参照して、第１の態様の第３の可能な実現方式では、方法は、
PCRFエンティティにより、リモートUEの加入情報をリレーUEのコンテキストに記憶するステップを更に含む。
【００１０】
第１の態様又は第１の態様の第１の可能な実現方式〜第３の可能な実現方式のうちいずれか１つを参照して、第１の態様の第４の可能な実現方式では、PCRFエンティティにより、リモートUEの加入情報及びサービスQoSに従って、リレーUEのQoSルールを決定する前に、方法は、
PCRFエンティティにより、リモートUEのアプリケーション機能AFエンティティからサービスQoSを受信するステップ、又は
PCRFエンティティにより、リレーUEにより提供されたサービスQoSを受信するステップ
を更に含む。
【００１１】
第１の態様又は第１の態様の第１の可能な実現方式〜第４の可能な実現方式のうちいずれか１つを参照して、第１の態様の第５の可能な実現方式では、方法は、
PCRFエンティティにより、リモートUEの識別子及びサービスデータフローテンプレートをPGWに送信するステップであり、サービスデータフローテンプレートは、リモートUEのIPアドレス及びポート番号についての情報を含むステップを更に含む。
【００１２】
第２の態様によれば、本発明の実施例は、データ処理方法を提供し、
パケットデータネットワークゲートウェイPGWにより、ポリシー及び課金ルール機能PCRFエンティティにより送信されたリレーユーザ装置UEのサービス品質QoSルールを受信するステップであり、リレーUEのQoSルールは、PCRFにより、リモートUEの加入情報及びサービスQoSに従って決定されるステップと、
PGWにより、リレーUEのQoSルールに従って、リレーUEのベアラを変更又は確立するステップと、
PGWにより、リレーUEのベアラを使用することにより、リモートUEのデータを送信又は受信するステップと
を含む。
【００１３】
第２の態様を参照して、第２の態様の第１の可能な実現方式では、PGWにより、PCRFエンティティにより送信されたリレーUEのQoSルールを受信する前に、方法は、
PGWにより、モビリティ管理エンティティMMEにより送信されたリモートUEの識別子を受信するステップと、
PGWにより、リモートUEの識別子をPCRFに送信するステップと
を更に含む。
【００１４】
第３の態様によれば、本発明の実施例は、データ処理方法を提供し、
モビリティ管理エンティティMMEにより、リモートユーザ装置UEの識別子を取得するステップと、
MMEにより、リモートUEの識別子をポリシー及び課金ルール機能PCRFエンティティに送信するステップであり、リモートUEの識別子は、PCRFエンティティにより、リモートUEの加入情報を取得するために使用されるステップと
を含む。
【００１５】
第３の態様を参照して、第３の態様の第１の可能な実現方式では、MMEにより、リモートUEの識別子を取得するステップは、
MMEにより、リレーUEにより送信されたリモートUEの識別子を受信するステップ、又は
MMEにより、近接サービス機能エンティティにより送信されたリモートUEの識別子を受信するステップ
を含む。
【００１６】
第３の態様又は第３の態様の第１の可能な実現方式を参照して、第３の態様の第２の可能な実現方式では、MMEにより、リモートUEの識別子をポリシー及び課金ルール機能PCRFエンティティに送信する前に、方法は、
MMEにより、リモートUEに対して許可検査を実行するステップを更に含む。
【００１７】
第３の態様の第２の可能な実現方式を参照して、第３の態様の第３の可能な実現方式では、MMEにより、リモートUEに対して許可検査を実行するステップは、
MMEにより、リモートUEのホーム加入者サーバHSS内の加入情報及びリレーUEのHSS内の加入情報に従って、リモートUEに対して許可検査を実行するステップを含む。
【００１８】
第４の態様によれば、本発明の実施例は、データ処理方法を提供し、
リレーユーザ装置UEにより、リモートUEのマルチメディアブロードキャストマルチキャストサービスMBMS監視要求を受信するステップと、
リレーUEにより、MBMSベアラのサービス品質QoSを取得するステップと、
リレーUEにより、MBMSベアラのQoSに従って、リモートUEに送信されるべきMBMSデータの送信優先度を決定するステップと、
リレーUEにより、リモートUEのMBMSデータの送信優先度に従って、リモートUEのMBMSデータを送信するステップと
を含む。
【００１９】
第４の態様を参照して、第４の態様の第１の可能な実現方式では、リレーUEにより、MBMSベアラのQoSを取得するステップは、
リレーUEにより、リモートUEからMBMSベアラのQoSを取得するステップ、又は
リレーUEにより、モビリティ管理エンティティMMEからMBMSベアラのQoSを取得するステップ、又は
リレーUEにより、エボルブドNodeB  eNBからMBMSベアラのQoSを取得するステップ
を含む。
【００２０】
第４の態様の第１の可能な実現方式を参照して、第４の態様の第２の可能な実現方式では、MBMS監視要求メッセージは、MBMSベアラのQoSを搬送し、リレーUEにより、リモートUEからMBMSベアラのQoSを取得するステップは、
リレーUEにより、MBMS監視要求メッセージからMBMSベアラのQoSを取得するステップを含む。
【００２１】
第４の態様を参照して、第４の態様の第３の可能な実現方式では、リレーUEにより、MBMSベアラのQoSに従って、リモートUEに送信されるべきMBMSデータの送信優先度を決定するステップは、
リレーUEにより、MBMSベアラのQoS及びQoSと送信優先度との間の対応関係に従って、リモートUEに送信されるべきMBMSデータの送信優先度を決定するステップを含む。
【００２２】
第４の態様の第３の可能な実現方式を参照して、第４の態様の第４の可能な実現方式では、対応関係は、リレーUEについて近接サービス機能エンティティ又はMMEにより設定される。
【００２３】
第５の態様によれば、本発明の実施例は、データ処理方法を提供し、
リレーユーザ装置UEにより、リモートUEのサービスサービス品質QoSを取得するステップと、
リレーUEにより、リモートUEのサービスQoSに従って、リレーUEのベアラのQoSを決定するステップと、
リレーUEにより、リレーUEのベアラの決定されたQoSに従って、リレーUEのベアラに対する変更を開始することを決定するステップと、
リレーUEにより、変更されたベアラを使用することにより、リモートUEのデータを転送するステップと
を含む。
【００２４】
第５の態様を参照して、第５の態様の第１の可能な実現方式では、リレーUEにより、リモートUEのサービスQoSを取得するステップは、
リレーUEにより、リモートUEにより送信されたデータ又はシグナリングメッセージを受信するステップであり、データ又はシグナリングメッセージは、リモートUEのサービスQoSを含むステップと、
リレーUEにより、リモートUEにより送信されたデータ又はシグナリングメッセージからリモートUEのサービスQoSを取得するステップと
を含む。
【００２５】
第５の態様又は第５の態様の第１の可能な実現方式を参照して、第５の態様の第２の可能な実現方式では、サービスQoSは、リモートUEのデータの送信優先度又はデータ内の差別化サービスコードポイントDSCP値を含む。
【００２６】
第５の態様又は第５の態様の第１の可能な実現方式若しくは第５の態様の第２の可能な実現方式を参照して、第５の態様の第３の可能な実現方式では、リレーUEにより、リモートUEのサービスQoSに従って、リレーUEのベアラのQoSを決定するステップは、
リレーUEにより、サービスQoSとベアラのQoSとの間の対応関係及びリモートUEのサービスQoSに従って、リレーUEのベアラのQoSを決定するステップを含む。
【００２７】
第５の態様の第３の可能な実現方式を参照して、第５の態様の第４の可能な実現方式では、対応関係は、リレーUEについて近接サービス機能エンティティ又はモビリティ管理エンティティMMEにより設定される。
【００２８】
第５の態様を参照して、第５の態様の第５の可能な実現方式では、リレーUEにより、リレーUEのベアラの決定されたQoSに従って、リレーUEのベアラに対する変更を開始することを決定するステップは、
リレーUEにより、ベアラ変更要求メッセージをMMEに送信するステップであり、ベアラ変更要求メッセージは、決定されたQoSと、リモートUEの識別子と、パケットフィルタ情報とを含み、パケットフィルタ情報は、リモートUEのIPアドレス及びポート番号を含むステップを含む。
【００２９】
第６の態様によれば、本発明の実施例は、データ処理デバイスを提供し、
リモートユーザ装置UEの加入情報を取得するように構成された取得モジュールと、
リモートUEの加入情報及びサービスサービス品質QoSに従って、リレーUEのQoSルールを決定するように構成された決定モジュールと、
QoSルールをパケットデータネットワークゲートウェイPGWに送信するように構成された送信モジュールであり、QoSルールは、PGWにより、リレーUEのベアラを変更又は確立するために使用され、リレーUEのベアラは、リレーUEにより、リモートUEのデータを転送するために使用される送信モジュールと
を含む。
【００３０】
第６の態様を参照して、第６の態様の第１の可能な実現方式では、取得モジュールは、
リモートUEの識別子に従って、加入プロファイルレポジトリSPRからリモートUEの加入情報を取得するように具体的に構成される。
【００３１】
第６の態様又は第６の態様の第１の可能な実現方式を参照して、第６の態様の第２の可能な実現方式では、デバイスは、
PGWにより送信されたリモートUEの識別子を受信するように構成された第１の受信モジュールを更に含む。
【００３２】
第６の態様又は第６の態様の第１の可能な実現方式若しくは第２の可能な実現方式を参照して、第６の態様の第３の可能な実現方式では、デバイスは、
リモートUEの加入情報をリレーUEのコンテキストに記憶するように構成された記憶モジュールを更に含む。
【００３３】
第６の態様又は第６の態様の第１の可能な実現方式〜第３の可能な実現方式のうちいずれか１つを参照して、第６の態様の第４の可能な実現方式では、装置は、
リモートUEのアプリケーション機能AFエンティティからサービスQoSを受信するように構成された第２の受信モジュール、又は
リレーUEにより提供されたサービスQoSを受信するように構成された第３の受信モジュール
を更に含む。
【００３４】
第６の態様又は第６の態様の第１の可能な実現方式〜第４の可能な実現方式のうちいずれか１つを参照して、第６の態様の第５の可能な実現方式では、送信モジュールは、リモートUEの識別子及びサービスデータフローテンプレートをPGWに送信するように更に構成され、サービスデータフローテンプレートは、リモートUEのIPアドレス及びポート番号についての情報を含む。
【００３５】
第７の態様によれば、本発明の実施例は、データ処理デバイスを提供し、
ポリシー及び課金ルール機能PCRFエンティティにより送信されたリレーユーザ装置UEのサービス品質QoSルールを受信するように構成された第１の受信モジュールであり、リレーUEのQoSルールは、PCRFにより、リモートUEの加入情報及びサービスQoSに従って決定される第１の受信モジュールと、
リレーUEのQoSルールに従って、リレーUEのベアラを変更又は確立するように構成されたベアラ処理モジュールと、
リレーUEのベアラを使用することにより、リモートUEのデータを送信又は受信するように構成された伝送モジュールと
を含む。
【００３６】
第７の態様を参照して、第７の態様の第１の可能な実現方式では、デバイスは、
モビリティ管理エンティティMMEにより送信されたリモートUEの識別子を受信するように構成された第２の受信モジュールと、
リモートUEの識別子をPCRFに送信するように構成された送信モジュールと
を更に含む。
【００３７】
第８の態様によれば、本発明の実施例は、データ処理デバイスを提供し、
リモートユーザ装置UEの識別子を取得するように構成された取得モジュールと、
リモートUEの識別子をポリシー及び課金ルール機能PCRFエンティティに送信するように構成された送信モジュールであり、リモートUEの識別子は、PCRFエンティティにより、リモートUEの加入情報を取得するために使用される送信モジュールと
を含む。
【００３８】
第８の態様を参照して、第８の態様の第１の可能な実現方式では、取得モジュールは、リレーUEにより送信されたリモートUEの識別子を受信するように具体的に構成されるか、或いは近接サービス機能エンティティにより送信されたリモートUEの識別子を受信するように具体的に構成される。
【００３９】
第８の態様又は第８の態様の第１の可能な実現方式を参照して、第８の態様の第２の可能な実現方式では、デバイスは、
リモートUEに対して許可検査を実行するように構成された許可検査モジュールを更に含む。
【００４０】
第８の態様の第２の可能な実現方式を参照して、第８の態様の第３の可能な実現方式では、許可検査モジュールは、
リモートUEのホーム加入者サーバHSS内の加入情報及びリレーUEのHSS内の加入情報に従って、リモートUEに対して許可検査を実行するように具体的に構成される。
【００４１】
第９の態様によれば、本発明の実施例は、データ処理デバイスを提供し、
リモートUEのマルチメディアブロードキャストマルチキャストサービスMBMS監視要求を受信するように構成された受信モジュールと、
MBMSベアラのサービス品質QoSを取得するように構成された取得モジュールと、
MBMSベアラのQoSに従って、リモートUEに送信されるべきMBMSデータの送信優先度を決定するように構成された決定モジュールと、
リモートUEのMBMSデータの送信優先度に従って、リモートUEのMBMSデータを送信するように構成された送信モジュールと
を含む。
【００４２】
第９の態様を参照して、第９の態様の第１の可能な実現方式では、取得モジュールは、
リモートUEからMBMSベアラのQoSを取得するように具体的に構成されるか、或いは
モビリティ管理エンティティMMEからMBMSベアラのQoSを取得するように具体的に構成されるか、或いは
エボルブドNodeB  eNBからMBMSベアラのQoSを取得するように具体的に構成される。
【００４３】
第９の態様の第１の可能な実現方式を参照して、第９の態様の第２の可能な実現方式では、MBMS監視要求メッセージは、MBMSベアラのQoSを搬送し、取得モジュールは、MBMS監視要求メッセージからMBMSベアラのQoSを取得するように具体的に構成される。
【００４４】
第９の態様を参照して、第９の態様の第３の可能な実現方式では、決定モジュールは、MBMSベアラのQoS及びQoSと送信優先度との間の対応関係に従って、リモートUEに送信されるべきMBMSデータの送信優先度を決定するように具体的に構成される。
【００４５】
第９の態様の第３の可能な実現方式を参照して、第９の態様の第４の可能な実現方式では、
対応関係は、リレーUEについて近接サービス機能エンティティ又はMMEにより設定される。
【００４６】
第１０の態様によれば、本発明の実施例は、データ処理デバイスを提供し、
リモートUEのサービスサービス品質QoSを取得するように構成された取得モジュールと、
リモートUEのサービスQoSに従って、リレーUEのベアラのQoSを決定するように構成された決定モジュールと、
リレーUEのベアラの決定されたQoSに従って、リレーUEのベアラに対する変更を開始することを決定するように構成された変更モジュールと、
変更されたベアラを使用することにより、リモートUEのデータを転送するように構成された転送モジュールと
を含む。
【００４７】
第１０の態様を参照して、第１０の態様の第１の可能な実現方式では、取得モジュールは、
リモートUEにより送信されたデータ又はシグナリングメッセージを受信するように構成された受信ユニットであり、データ又はシグナリングメッセージは、リモートUEのサービスQoSを含む受信ユニットと、
リモートUEにより送信されたデータ又はシグナリングメッセージからリモートUEのサービスQoSを取得するように構成された取得ユニットと
を含む。
【００４８】
第１０の態様又は第１０の態様の第１の可能な実現方式を参照して、第１０の態様の第２の可能な実現方式では、サービスQoSは、リモートUEのデータの送信優先度又はデータ内の差別化サービスコードポイントDSCP値を含む。
【００４９】
第１０の態様又は第１０の態様の第１の可能な実現方式若しくは第１０の態様の第２の可能な実現方式を参照して、第１０の態様の第３の可能な実現方式では、決定モジュールは、サービスQoSとベアラのQoSとの間の対応関係及びリモートUEのサービスQoSに従って、リレーUEのベアラのQoSを決定するように具体的に構成される。
【００５０】
第１０の態様の第３の可能な実現方式を参照して、第１０の態様の第４の可能な実現方式では、対応関係は、リレーUEについて近接サービス機能エンティティ又はモビリティ管理エンティティMMEにより設定される。
【００５１】
第１０の態様を参照して、第１０の態様の第５の可能な実現方式では、リレーUEにより、リレーUEのベアラの決定されたQoSに従って、リレーUEのベアラに対する変更を開始することを決定することは、
リレーUEにより、ベアラ変更要求メッセージをMMEに送信し、ベアラ変更要求メッセージは、決定されたQoSと、リモートUEの識別子と、パケットフィルタ情報とを含み、パケットフィルタ情報は、リモートUEのIPアドレス及びポート番号を含むことを含む。
【００５２】
第１１の態様によれば、本発明の実施例は、データ処理デバイスを提供し、
リモートユーザ装置UEの加入情報を取得するように構成されたプロセッサであり、
プロセッサは、リモートUEの加入情報及びサービスサービス品質QoSに従って、リレーUEのQoSルールを決定するように更に構成されるプロセッサと、
QoSルールをパケットデータネットワークゲートウェイPGWに送信するように構成された送信機であり、QoSルールは、PGWにより、リレーUEのベアラを変更又は確立するために使用され、リレーUEのベアラは、リレーUEにより、リモートUEのデータを転送するために使用される送信機と
を含む。
【００５３】
第１２の態様によれば、本発明の実施例は、データ処理デバイスを提供し、
ポリシー及び課金ルール機能PCRFエンティティにより送信されたリレーユーザ装置UEのサービス品質QoSルールを受信するように構成された送受信機であり、リレーUEのQoSルールは、PCRFにより、リモートUEの加入情報及びサービスQoSに従って決定される送受信機と、
リレーUEのQoSルールに従って、リレーUEのベアラを変更又は確立するように構成されたプロセッサと
を含み、
送受信機は、リレーUEのベアラを使用することにより、リモートUEのデータを送信又は受信するように構成される。
【００５４】
第１３の態様によれば、本発明の実施例は、データ処理デバイスを提供し、
リモートユーザ装置UEの識別子を取得するように構成されたプロセッサと、
リモートUEの識別子をポリシー及び課金ルール機能PCRFエンティティに送信するように構成された送信機であり、リモートUEの識別子は、PCRFエンティティにより、リモートUEの加入情報を取得するために使用される送信機と
を含む。
【００５５】
第１４の態様によれば、本発明の実施例は、データ処理デバイスを提供し、
リモートUEのマルチメディアブロードキャストマルチキャストサービスMBMS監視要求を受信するように構成された受信機と、
MBMSベアラのサービス品質QoSを取得するように構成されたプロセッサであり、
プロセッサは、MBMSベアラのQoSに従って、リモートUEに送信されるべきMBMSデータの送信優先度を決定するように構成されるプロセッサと、
リモートUEのMBMSデータの送信優先度に従って、リモートUEのMBMSデータを送信するように構成された送信機と
を含む。
【００５６】
第１５の態様によれば、本発明の実施例は、データ処理デバイスを提供し、
リモートUEのサービスサービス品質QoSを取得するように構成されたプロセッサであり、
プロセッサは、リモートUEのサービスQoSに従って、リレーUEのベアラのQoSを決定するように更に構成され、
プロセッサは、リレーUEのベアラの決定されたQoSに従って、リレーUEのベアラに対する変更を開始することを決定するように更に構成されるプロセッサと、
変更されたベアラを使用することにより、リモートUEのデータを転送するように構成された送信機と
を含む。
【００５７】
実施例において提供されるデータ処理方法及びデバイスによれば、PCRFエンティティは、リモートUEの加入情報を取得し、リモートUEの加入情報及びサービスQoSに従って、リレーUEのQoSルールを決定し、PCRFエンティティは、リレーUEのQoSルールをPGWに送信し、QoSルールは、PGWにより、リレーUEのベアラを変更又は確立するために使用され、リレーUEのベアラは、リレーUEにより、リモートUEのデータを転送するために使用される。リモートUEがリレーUEを使用することによりネットワーク側と通信するとき、PCRFエンティティは、リモートUEの加入情報及びサービスQoSに従って、リレーUEのQoSを決定でき、それにより、PGWは、リレーUEのQoSルールに従って、リレーUEのベアラを変更又は確立し、リレーUEは、リレーUEのベアラ上でリモートUEのデータを転送し、それにより、リモートUEのサービスQoSを保証する。
【図面の簡単な説明】
【００５８】
本発明の実施例又は従来技術における技術的解決策をより明確に説明するために、以下に、実施例又は従来技術を説明するために必要な添付図面を簡単に説明する。明らかに、以下の説明における添付図面は、本発明の単にいくつかの実施例を示しているに過ぎず、当業者は、創造的取り組みなしに依然としてこれらの添付図面から他の図面を導き得る。
【図１】本発明の実施例によるデータ処理方法の実施例１の概略フローチャートである。
【図２】本発明の実施例によるデータ処理方法の実施例２の概略フローチャートである。
【図３】本発明の実施例２による第１の実現方式の概略シグナリングフローチャートである。
【図４】本発明の実施例２による第２の実現方式の概略シグナリングフローチャートである。
【図５】本発明の実施例によるデータ処理方法の実施例３の概略フローチャートである。
【図６】本発明の実施例によるデータ処理方法の実施例４の概略フローチャートである。
【図７】本発明の実施例によるデータ処理方法の実施例５の概略フローチャートである。
【図８】本発明の実施例５による実現方式の概略シグナリングフローチャートである。
【図９】本発明の実施例によるデータ処理方法の実施例６の概略フローチャートである。
【図１０】本発明の実施例６による実現方式の概略シグナリングフローチャートである。
【図１１】本発明によるデータ処理デバイスの実施例１の概略構成図である。
【図１２】本発明によるデータ処理デバイスの実施例２の概略構成図である。
【図１３】本発明によるデータ処理デバイスの実施例３の概略構成図である。
【図１４】本発明によるデータ処理デバイスの実施例４の概略構成図である。
【図１５】本発明によるデータ処理デバイスの実施例５の概略構成図である。
【発明を実施するための形態】
【００５９】
以下に、本発明の実施例における添付図面を参照して、本発明の実施例における技術的解決策を明確且つ完全に説明する。明らかに、説明する実施例は、本発明の実施例の全てではなく、単なる一部である。創造的取り組みなしに本発明の実施例に基づいて当業者により得られる全ての他の実施例は、本発明の保護範囲内に入るものとする。
【００６０】
本発明において提供されるデータ処理方法は、ProSe技術が使用される適用シナリオ、すなわち、リモートUEがリレーUEを使用することによりネットワーク側と通信し、リモートUEは、ネットワークカバレッジ外のUE又はネットワークカバレッジ内の信号が劣っているUEであり、リレーUEは、ネットワークカバレッジ内のUE又はネットワークカバレッジ内の信号が比較的良好であるUEである適用シナリオに適用されてもよい。ポリシー及び課金ルール機能（Policy  and  Charging  Rules  Function,  略称PCRF）エンティティは、リモートUEの加入情報を取得し、リモートUEの加入情報及びサービスサービス品質（Quality  of  Service,  略称QoS）に従って、リレーUEのQoSルールを決定する。PCRFエンティティは、リレーUEのQoSルールをパケットデータネットワークゲートウェイ（PDN  Gate  Way,  略称PGW）に送信し、QoSルールは、PGWにより、リレーUEのベアラを変更又は確立するために使用され、リレーUEのベアラは、リレーUEにより、リモートUEのデータを転送するために使用される。リモートUEがリレーUEを使用することによりネットワーク側と通信するとき、PCRFエンティティは、リモートUEの加入情報及びサービスQoSに従って、リレーUEのQoSを決定でき、それにより、PGWは、リレーUEのQoSルールに従って、リレーUEのベアラを変更又は確立し、リレーUEは、リレーUEのベアラ上でリモートUEのデータを転送し、それにより、リモートUEのサービスQoSを保証する。
【００６１】
本発明の技術的解決策について、具体的な実施例を使用することにより以下に詳細に説明する。以下の具体的な実施例は互いに結合されてもよく、同じ或いは同様の概念又はプロセスはいくつかの実施例において説明されないことがある。
【００６２】
図１は、本発明の実施例によるデータ処理方法の実施例１の概略フローチャートである。図１に示すように、この実施例において提供されるデータ処理方法は、以下のステップを含む。
【００６３】
S101：PCRFエンティティは、リモートUEの加入情報を取得する。
【００６４】
具体的には、ProSe適用シナリオにおいて、リレーUEは、ネットワークアタッチプロセスにおいてPDN接続を確立し、リモートUEは、ディスカバリプロセスを使用することにより、リモートUEへのデータ伝送を提供できるリレーUEを発見し、これは、リレーUEがブロードキャストメッセージを送信し、リモートUEがブロードキャストメッセージを使用することによりリレーUEを発見することでもよい。リモートUEは、リレーUEと１対１の通信を確立し、これは、１対１の通信を確立するために、リモートUEが通信要求をリレーUEに送信し、通信要求は、リモートUEの識別子を含むことでもよい。リレーUEは、リモートUEの識別子をモビリティ管理エンティティ（Mobility  Management  Entity,  略称MME）に送信し、MMEは、リモートUEの識別子をPGWに送信し、PGWは、リモートUEの識別子をPCRFに送信する。
【００６５】
PCRFエンティティは、リモートUEの識別子に従って、リモートUEの加入情報を取得してもよい。リモートUEの加入情報は、リモートUEがネットワークにアクセスするときの、開始され得るサービスのタイプ、データ転送レート、帯域幅、遅延、及びパケット誤り率のような加入情報でもよい。
【００６６】
リモートUEの識別子は、リレーUEにより、他のネットワークエレメントを使用することによりPCRFエンティティに更に伝送されてもよく、この実施例は、PCRFエンティティがリモートUEの識別子を最終的に取得できる限り、それに限定されない。
【００６７】
S102：PCRFエンティティは、リモートUEの加入情報及びサービスQoSに従って、リレーUEのQoSルールを決定する。
【００６８】
具体的には、PCRFエンティティは、サービスQoSを取得する必要がある。サービスQoSは、リモートUEにより開始された具体的なサービスのQoS要件である。例えば、リモートUEにより開始された音声サービスについて、サービスQoSは、音声サービスのQoS要件である。PCRFエンティティは、リモートUEのアプリケーション機能（Application  Function,  略称AF）エンティティからサービスQoSを取得してもよく、或いはリレーUEからサービスQoSを取得してもよく、この実施例はそれに限定されない。
【００６９】
リレーUEのQoSルールを決定するとき、PCRFは、PCRFエンティティに既に記憶されているリレーUEの加入情報を参照する必要が更にある点に留意すべきである。
【００７０】
PCRFエンティティは、まず、リモートUEの加入情報に従って、リモートUEがサービスを送信できるか否かを決定してもよく、ここでのサービスのタイプは、PCRFエンティティにより取得されたサービスQoSに対応するサービスのタイプを示す。リモートUEがサービスを開始できる場合、PCRFエンティティは、リレーUEの加入情報がサービスQoSを満たすことができるか否かを決定し、リレーUEの加入情報がサービスQoSを満たすことができる場合、PCRFエンティティは、サービスQoSがリレーUEのQoSルールであると決定してもよい。明らかに、リレーUEの加入情報がサービスQoSを満たすことができる場合、PCRFエンティティはまた、サービスQoSより大きく且つリレーUEの加入情報以下のいずれかのQoSがリレーUEのQoSルールであると決定してもよい。
【００７１】
S103：PCRFエンティティは、QoSルールをPGWに送信し、QoSルールは、PGWにより、リレーUEのベアラを変更又は確立するために使用され、リレーUEのベアラは、リレーUEにより、リモートUEのデータを転送するために使用される。
【００７２】
具体的には、PCRFエンティティは、QoSルールをPGWに送信する。PGWは、QoSルールに従って、リレーUEのベアラ上で処理を実行し、これは、PGWにより、QoSルールに従ってベアラ確立又はベアラ変更を実行することを含む。PGWは、シグナリングをサービングゲートウェイ（Serving  Gate  Way,  略称S-GW）に送信し、S-GWは、シグナリングをMMEのようなネットワークエレメントに送信し、それにより、PGWは、リレーUEのベアラを変更又は確立する。リレーUEのベアラは、リレーUEにより、リモートUEの上りリンクデータ又は下りリンクデータを転送するために使用される。
【００７３】
任意選択で、この実施例では、QoSルールは、PGWにより、リレーUEのベアラを削除するために更に使用されてもよい。
【００７４】
この実施例において提供されるデータ処理方法によれば、PCRFエンティティは、リモートUEの加入情報を取得し、リモートUEの加入情報及びサービスQoSに従って、リレーUEのQoSルールを決定し、PCRFエンティティは、リレーUEのQoSルールをPGWに送信し、QoSルールは、PGWにより、リレーUEのベアラを変更又は確立するために使用され、リレーUEのベアラは、リレーUEにより、リモートUEのデータを転送するために使用される。リモートUEがリレーUEを使用することによりネットワーク側と通信するとき、PCRFエンティティは、リモートUEの加入情報及びサービスQoSに従って、リレーUEのQoSを決定でき、それにより、PGWは、リレーUEのQoSルールに従って、リレーUEのベアラを変更又は確立し、リレーUEは、リレーUEのベアラ上でリモートUEのデータを転送し、それにより、リモートUEのサービスQoSを保証する。
【００７５】
図２は、本発明の実施例によるデータ処理方法の実施例２の概略フローチャートである。実施例１に基づいて、S101の前に、方法は、以下を更に含む。
【００７６】
S201：PCRFエンティティは、PGWにより送信されたリモートUEの識別子を受信する。
【００７７】
具体的には、以下の３つの実現方式が存在し得る。
【００７８】
第１の実現方式：リモートUEの識別子は、国際移動体加入者識別情報（International  Mobile  Subscriber  Identification  Number,  略称IMSI）でもよい。リモートUEの識別子がIMSIであるとき、リモートUEは、IMSIを通信要求に含め、要求をリレーUEに送信してもよく、リレーUEは、リモートUEのIMSIを非アクセス層（Non-Access  Stratum,  略称NAS）メッセージに含め、メッセージをMMEに送信してもよい。MMEは、リモートUEのIMSIに従って、リモートUEに対して許可検査を実行する。MMEは、リレーUE及びリモートUEのホーム加入者サーバ（Home  Subscriber  Server,  略称HSS）から読み取られた加入情報を使用することにより、リモートUEに対して許可検査を実行してもよい。許可検査は、リモートUEがネットワーク側とデータ伝送を実行するためにリレーUEを使用できるか否かと、リモートUEがリレーUEのベアラ確立又は変更をトリガできるか否かとを含む。リモートUEに対して許可検査を実行した後に、MMEは、GPRSトンネリングプロトコル（GPRS  Tunnelling  Protocol,  略称GTP）メッセージを使用することにより、リモートUEのIMSIをPGWに送信し、PCRFエンティティは、PGWにより送信されたリモートUEのIMSIを受信する。
【００７９】
リレーUEはまた、リモートUEの識別子、すなわち、IMSIをプロトコル設定オプション（Protocol  Configuration  Option,  略称PCO）に追加し、PCOをMMEに送信してもよく、この場合、MMEは、PCOを解析しない点に留意すべきである。したがって、この場合、MMEは、リモートUEに対して許可検査を実行しないが、リモートUEの識別子をPGWに直接送信し、PCRFエンティティは、PGWにより送信されたリモートUEのIMSIを受信する。
【００８０】
第２の実現方式：リモートUEの識別子は、一時識別子でもよく、一時識別子は、近接サービス機能（ProSe機能）エンティティによりリモートUEに割り当てられてもよい。リモートUEは、一時識別子をリレーUEに送信し、リレーUEは、NASメッセージを使用することにより、一時識別子をMMEに送信してもよく、MMEは、一時識別子に従って、近接サービス機能エンティティから一時識別子に対応するIMSIを取得する。MMEがリモートUEのIMSIを取得した後に、実現方式の残りのステップは、第１の実現方式のものと同じであり、詳細はここでは説明しない。
【００８１】
この実現方式では、リモートUEの一時識別子はまた、MMEにより割り当てられてもよい点に留意すべきである。リモートUEの一時識別子がMMEにより割り当てられる場合、リモートUEは、一時識別子をリレーUEに送信し、リレーUEは、NASメッセージを使用することにより、一時識別子をMMEに送信してもよく、MMEは、一時識別子に従って、一時識別子に対応するIMSIを取得する。
【００８２】
第３の実現方式：リモートUEは、リモートUEの識別子を通信要求に追加し、要求をリレーUEに送信し、リレーUEは、リレーUEと近接サービス機能エンティティとの間のインタフェースであるPC3インタフェースを使用することにより、リモートUEの識別子を近接サービス機能エンティティに送信する。近接サービス機能エンティティは、HSSを使用することにより、リモートUEの識別子をMMEに送信するか、或いは近接サービス機能エンティティは、リモートUEの識別子をMMEに直接送信する。
【００８３】
同様に、リモートUEの識別子はIMSIでもよい。リモートUEの識別子がIMSIである場合、MMEがIMSIを取得した後に、実現方式の残りのステップは、第１の実現方式のものと同じであり、詳細はここでは説明しない。リモートUEの識別子が一時識別子である場合、MMEが一時識別子を取得した後に、実現方式の残りのステップは、第２の実現方式のものと同じであり、詳細はここでは説明しない。
【００８４】
この実施例は、実施例１に基づき、S101は、以下を具体的に含む。
【００８５】
S202：PCRFエンティティは、リモートUEの識別子に従って、SPRからリモートUEの加入情報を取得する。
【００８６】
具体的には、PCRFエンティティは、加入プロファイルレポジトリ（Subscription  Profile  Repository,  略称SPR）からリモートUEの加入情報を取得する。加入情報は、リモートUEが開始することを許可されているサービスのタイプ、リモートUEのポリシー及び課金制御（(Policy  and  Charging  Control,  略称PCC)ルール等を含む。
【００８７】
さらに、リモートUEの加入情報を取得した後に、PCRFは、リモートUEの加入情報をリレーUEのコンテキストに記憶する。リレーUEのコンテキストは、PCRFに記憶された、リレーUEについての情報、例えば、リレーUEの加入情報を表す。
【００８８】
実施例１に基づいて、S102の前に、方法は、以下を更に含む。
【００８９】
S203：PCRFエンティティは、リモートUEのAFエンティティからサービスQoSを受信する。
【００９０】
具体的には、PCRFがリモートUEの加入情報を取得した後に、リモートUEは、リレーUEのPDN接続を使用することにより、サービス要求シグナリングをリモートUEのAFエンティティに送信してもよい。リモートUEのサービス要求シグナリングを受信した後に、AFエンティティは、サービス要求シグナリングに従って、リモートUEのサービスQoSをPCRFエンティティに送信する。サービスQoSは、サービスのタイプ、サービスにより要求される帯域幅及び伝送レートのような情報を含んでもよい。
【００９１】
図３は、本発明の実施例２による第１の実現方式の概略シグナリングフローチャートである。図３に示すように、この実現方式において提供されるデータ処理方法は、以下を含む。
【００９２】
ステップ1：リレーUEは、PDN接続を確立し、IP-CANセッション（リレーUEのID及びリレーUEのIPアドレスを含む）を確立し、リレーUEは、リレーUEのID及びリレーUEのIPアドレスをネットワーク側のネットワークエレメントに送信し、具体的には、リレーUEは、ネットワークアタッチプロセスを使用することにより、ネットワーク側とPDN接続を確立してもよい。
【００９３】
ステップ2：ディスカバリプロセス：リモートUEは、ディスカバリプロセスを使用することにより、リモートUEへのリレーサービスを提供できるリレーUEを発見する。
【００９４】
ステップ3：１対１の通信の確立及びIPアドレスの割り当て（リモートUEのID）：リモートUEは、リレーUEと１対１の通信を確立し、リレーUEは、IPアドレスをリモートUEに割り当て、リモートUEは、リモートUEの識別子（ID）を通信要求に含めてもよい。
【００９５】
ステップ4：リレーUEは、リモートUEのIDを含むNASメッセージをMMEに送信する。
【００９６】
ステップ5：許可検査：MMEは、リモートUEのIDに従って、HSS内のリモートUEの加入情報及びHSS内のリレーUEの加入情報を取得し、リモートUEに対して許可検査を実行する。
【００９７】
許可検査が成功した場合、ステップ6が実行される：MMEは、GTPメッセージ（リモートUEのID）をPGWに送信し、MMEは、リモートUEの識別子をGTPメッセージに追加し、GTPメッセージをPGWに送信する。
【００９８】
ステップ7：PGWは、IP-CANセッションメッセージ（リモートUEのID）をPCRFに送信し、PGWは、IP-CANセッションプロセスを使用することにより、リモートUEの識別子をPCRFに送信する。
【００９９】
ステップ8a：加入情報要求（リモートUEのID）：PCRFエンティティは、リモートUEの識別子に従って、SPRからリモートUEの加入情報を取得する。
【０１００】
ステップ8b：フィードバック：SPRは、リモートUEの加入情報をPCRFにフィードバックする。
【０１０１】
ステップ9：PCRFエンティティは、リモートUEのID及び加入情報をリレーUEのコンテキストに記憶する。
【０１０２】
ステップ10：アプリケーションレイヤ通信（リモートUEのIPアドレス及びリモートUEのID）：リモートUEは、リモートUEのAFエンティティとアプリケーションレイヤ通信を実行し、リモートUEは、サービス要求シグナリングをAFに送信してもよく、サービス要求シグナリングは、リモートUEのIPアドレス及びリモートUEの識別子を含む。
【０１０３】
ステップ11：リモートUEのAFエンティティは、アプリケーション／サービス情報（リモートUEのIPアドレス、リモートUEのID及びサービスQoSを含む）をPCRFに送信する。
【０１０４】
ステップ12：PCRFは、リモートUEの加入情報、リレーUEの加入情報及びサービスQoSに従ってポリシー判定を実行し、PCRFは、リモートUE及びリレーUEの加入QoSルールに従って、リレーUEのQoSルールを決定する。
【０１０５】
ステップ13：PCRFは、IP-CANセッション変更（QoSルール、リモートUEのID及びリモートUEのSDFテンプレートを含む）を開始し、IP-CANセッションは、リレーUEのQoSルール、リモートUEの識別子及びリモートUEのサービスデータフローテンプレート（Service  Data  Flow,  略称SDF）を含み、SDFは、リモートUEのIPアドレス及びポート番号を含む。
【０１０６】
ステップ14：専用ベアラ確立、変更又は非アクティブ化（ベアラのQoS及びリモートUEのTFT）：PGWは、QoSルールに従って、専用ベアラを確立、変更又は非アクティブ化する。
【０１０７】
図４は、本発明の実施例２による第２の実現方式の概略シグナリングフローチャートである。図４に示すように、この実現方式において提供されるベアラ処理方法と図３において提供されるベアラ処理方法との違いは、リモートUEの識別子を報告するプロセスが異なることである。図４のステップ1〜ステップ3は、図３に示す実現方式のものと同じであり、詳細はここでは説明しない。
【０１０８】
ステップ4：リレーUEは、リモートUEのIDを送信し、リレーUEは、リレーUEと近接サービス機能エンティティとの間のインタフェースを使用することにより、リモートUEの識別子を近接サービス機能エンティティに送信する。
【０１０９】
ステップ5：リモートUEのIDを送信し、近接サービス機能エンティティは、リモートUEの識別子をMMEに送信する。ステップ6〜ステップ9は、図３に示す実現方式のものと同じであり、詳細はここでは説明しない。
【０１１０】
ステップ10a〜ステップ10b：承認メッセージ（Acknowledgement,  略称ACK）である。
【０１１１】
ステップ11：アプリケーションレイヤ通信（リモートUEのIPアドレス及びリモートUEのID）：リモートUEは、リモートUEのAFエンティティとアプリケーションレイヤ通信を実行し、リモートUEは、サービス要求シグナリングをAFに送信してもよく、サービス要求シグナリングは、リモートUEのIPアドレス及びリモートUEの識別子を含む。
【０１１２】
ステップ12：リモートUEのAFエンティティは、アプリケーション／サービス情報（リモートUEのIPアドレス及びリモートUEのIDを含む）をPCRFに送信する。
【０１１３】
ステップ13：PCRFは、リモートUEの加入情報、リレーUEの加入情報及びサービスQoSに従ってポリシー判定を実行し、PCRFは、リモートUE及びリレーUEの加入QoSルールに従って、リレーUEのQoSルールを決定する。
【０１１４】
ステップ14：PCRFは、IP-CANセッション変更（QoSルール、リモートUEのID及びリモートUEのSDFテンプレートを含む）を開始し、IP-CANセッションは、リレーUEのQoSルール、リモートUEの識別子及びリモートUEのサービスデータフローテンプレート（Service  Data  Flow,  略称SDF）を含み、SDFは、リモートUEのIPアドレス及びポート番号を含む。
【０１１５】
ステップ15：専用ベアラ確立、変更又は非アクティブ化（ベアラのQoS及びリモートUEのTFT）：PGWは、QoSルールに従って、専用ベアラを確立、変更又は非アクティブ化する。
【０１１６】
この実施例において提供されるデータ処理方法によれば、PCRFは、PGWにより送信されたリモートUEの識別子を受信し、リモートUEの識別子に従って、SPRからリモートUEの加入情報を取得し、リモートUEのAFエンティティからサービスQoSを受信し、それにより、PCRFは、リモートUEのためにリモートUEのサービスQoSを満たす専用ベアラを確立するために、リモートUEの加入情報及びサービスQoSに従って、ベアラ確立又は変更を実行してもよく、それにより、リモートUEがネットワーク側と相互作用するときのサービスQoSを保証し、リモートUEがネットワーク側と相互作用するときの性能を改善する。
【０１１７】
さらに、実施例１及び実施例２に基づいて、S102の前に、この方法は、以下を更に含んでもよい。
【０１１８】
PCRFエンティティにより、リレーUEにより提供されたサービスQoSを受信し、具体的には、リモートUEがリレーUEと１対１の通信を確立した後に、リレーUEは、IPアドレスをリモートUEに割り当て、リモートUEは、IPパケット又はシグナリングメッセージをリレーUEに送信し、リレーUEは、IPパケットのサービスQoSをPCRFに送信する。
【０１１９】
さらに、前述の実施例のうちいずれか１つにおいて、データ処理方法は、PCRFエンティティにより、リモートUEの識別子及びサービスデータフローテンプレートをPGWに送信し、サービスデータフローテンプレートは、リモートUEのIPアドレス及びポート番号についての情報を含み、ポート番号は、リモートUEのトランスポートレイヤのポート番号、例えば、ユーザデータグラムプロトコル（User  Datagram  Protocol,  略称UDP）ポート番号を示すことを更に含む。PGWは、リモートUEの識別子に従って、ベアラに課金してもよい。
【０１２０】
図５は、本発明の実施例によるデータ処理方法の実施例３の概略フローチャートである。図５に示すように、この実施例において提供されるデータ処理方法は、以下のステップを含む。
【０１２１】
S501：PGWは、PCRFエンティティにより送信されたリレーUEのQoSルールを受信し、リレーUEのQoSルールは、PCRFにより、リモートUEの加入情報及びサービスQoSに従って決定される。
【０１２２】
具体的には、PCRFエンティティは、リモートUEの識別子に従って、リモートUEの加入情報を取得してもよく、PCRFエンティティは、リモートUEのAFエンティティからサービスQoSを取得してもよい。
【０１２３】
PCRFエンティティは、まず、リモートUEの加入情報に従って、リモートUEがサービスを送信できるか否かを決定してもよく、ここでのサービスのタイプは、PCRFエンティティにより取得されたサービスQoSに対応するサービスのタイプを示す。リモートUEがサービスを開始できる場合、PCRFエンティティは、リレーUEの加入情報がサービスQoSを満たすことができるか否かを決定し、リレーUEの加入情報がサービスQoSを満たすことができる場合、PCRFエンティティは、サービスQoSがリレーUEのQoSルールであると決定してもよい。明らかに、リレーUEの加入情報がサービスQoSを満たすことができる場合、PCRFエンティティはまた、サービスQoSより大きく且つリレーUEの加入情報以下のいずれかのQoSがリレーUEのQoSルールであると決定してもよい。
【０１２４】
S502：PGWは、リレーUEのQoSルールに従って、リレーUEのベアラを変更又は確立する。
【０１２５】
具体的には、PGWは、リレーUEのQoSルールに従って、リレーUEのベアラを処理し、これは、PGWにより、QoSルールに従ってベアラ確立又はベアラ変更を実行することを含む。PGWは、シグナリングをサービングゲートウェイ（Serving  Gate  Way,  略称SGW）に送信し、SGWは、シグナリングをMMEのようなネットワークエレメントに送信し、それにより、PGWは、リレーUEのベアラを変更又は確立する。リレーUEのベアラは、リレーUEにより、リモートUEの上りリンクデータ又は下りリンクデータを転送するために使用される。
【０１２６】
S503：PGWは、リレーUEのベアラを使用することにより、リモートUEのデータを送信又は受信する。
【０１２７】
具体的には、PGWは、リモートUEのデータをリレーUEに送信してもよく、或いはPGWは、リレーUEにより送信されたリモートUEのデータを受信する。
【０１２８】
さらに、S501の前に、PGWは、MMEにより送信されたリモートUEの識別子を受信し、PGWは、リモートUEの識別子をPCRFに送信する。
【０１２９】
この実施例において提供されるデータ処理方法によれば、PGWは、PCRFエンティティにより送信されたリレーUEのQoSルールを受信し、リレーUEのQoSルールは、PCRFにより、リモートUEの加入情報及びサービスQoSに従って決定され、PGWは、リレーUEのQoSルールに従って、リレーUEのベアラを変更又は確立し、PGWは、リレーUEのベアラを使用することにより、リモートUEのデータを送信又は受信する。これは、PCRFエンティティがリモートUEの加入情報及びサービスQoSに従ってリレーUEのQoSルールを決定することを可能にし、それにより、PGWは、リレーUEのQoSルールに従って、リレーUEのベアラを変更又は確立し、PGWは、リレーUEのベアラを使用することにより、リモートUEのデータを送信又は受信し、それにより、リモートUEのサービスQoSを保証する。
【０１３０】
図６は、本発明の実施例によるデータ処理方法の実施例４の概略フローチャートである。図６に示すように、この実施例において提供されるデータ処理方法は、以下のステップを含む。
【０１３１】
S601：MMEは、リモートUEの識別子を取得する。
【０１３２】
具体的には、MMEは、リレーUEにより送信されたリモートUEの識別子を受信するか、或いはMMEは、近接サービス機能エンティティにより送信されたリモートUEの識別子を受信する。
【０１３３】
リモートUEの識別子は、国際移動体加入者識別情報（International  Mobile  Subscriber  Identification  Number,  略称IMSI）でもよい。リモートUEの識別子がIMSIであるとき、リモートUEは、IMSIを通信要求に含め、要求をリレーUEに送信してもよく、リレーUEは、リモートUEのIMSIをNASメッセージに含め、メッセージをMMEに送信してもよい。MMEは、リレーUEにより送信されたリモートUEの識別子を受信する。
【０１３４】
リモートUEの識別子は、一時識別子でもよく、一時識別子は、近接サービス機能エンティティによりリモートUEに割り当てられてもよい。リモートUEは、一時識別子をリレーUEに送信し、リレーUEは、NASメッセージを使用することにより、一時識別子をMMEに送信してもよく、MMEは、一時識別子に従って、近接サービス機能エンティティから一時識別子に対応するIMSIを取得する。
【０１３５】
或いは、リモートUEは、リモートUEの識別子を通信要求に追加し、要求をリレーUEに送信し、リレーUEは、リレーUEと近接サービス機能エンティティとの間のインタフェースであるPC3インタフェースを使用することにより、リモートUEの識別子を近接サービス機能に送信する。近接サービス機能エンティティは、HSSを使用することにより、リモートUEの識別子をMMEに送信するか、或いは近接サービス機能は、リモートUEの識別子をMMEに直接送信する。MMEは、近接サービス機能エンティティにより送信されたリモートUEの識別子を受信する。
【０１３６】
S602：MMEは、リモートUEの識別子をPCRFエンティティに送信し、リモートUEの識別子は、PCRFエンティティにより、リモートUEの加入情報を取得するために使用される。
【０１３７】
具体的には、MMEは、リモートUEの識別子をPGWに送信し、PGWは、リモートUEの識別子をPCRFに送信する。PCRFエンティティは、リモートUEの識別子に従って、SPRからリモートUEの加入情報を取得する。
【０１３８】
任意選択で、S602の前に、方法は、MMEにより、リモートUEに対して許可検査を実行することを更に含む。具体的には、MMEは、リモートUEのHSS内の加入情報及びリレーUEのHSS内の加入情報に従って、リモートUEに対して許可検査を実行する。MMEは、リレーUEのHSS及びリモートUEのHSSから読み取られた加入情報を使用することにより、リモートUEに対して許可検査を実行してもよい。許可検査は、リモートUEがネットワーク側とデータ伝送を実行するためにリレーUEを使用できるか否かと、リモートUEがリレーUEのベアラ確立又は変更をトリガできるか否かとを含む。
【０１３９】
この実施例において提供されるデータ処理方法によれば、MMEは、リレーUEにより送信されたリモートUEの識別子を受信するか、或いはMMEは、近接サービス機能エンティティにより送信されたリモートUEの識別子を受信し、MMEは、リモートUEの識別子をPCRFエンティティに送信し、リモートUEの識別子は、PCRFエンティティにより、リモートUEの加入情報を取得するために使用され、PCRFは、リモートUEの識別子に従って、リモートUEの加入情報を取得し、リモートUEの加入情報に従って、ベアラを変更又は確立してもよく、それにより、リモートUEがネットワーク側と相互作用するときのサービスQoSを保証する。
【０１４０】
図７は、本発明の実施例によるデータ処理方法の実施例５の概略フローチャートである。図７に示すように、この実施例において提供されるデータ処理方法は、以下のステップを含む。
【０１４１】
S701：リレーUEは、リモートUEのMBMS監視要求を受信する。
【０１４２】
具体的には、リレーUEがリモートUEと１対１の通信を確立した後に、リレーUEは、IPアドレスをリモートUEに割り当てる。リモートUEは、マルチメディアブロードキャストマルチキャストサービス（Multimedia  Broadcast  Multicast  Service,  略称MBMS）監視要求をリレーUEに送信し、リレーUEは、リモートUEのMBMSデータを受信するために、リモートUEのMBMS監視要求を受信する。
【０１４３】
S702：リレーUEは、MBMSベアラのQoSを取得する。
【０１４４】
具体的には、リレーUEは、リモートUEからMBMSベアラのQoSを取得してもよく、或いはリレーUEは、MMEからMBMSベアラのQoSを取得するか、或いはリレーUEは、eNBからMBMSベアラのQoSを取得する。
【０１４５】
任意選択で、リレーUEにより、リモートUEからMBMSベアラのQoSを取得することは、リレーUEにより、リモートUEにより送信されたMBMS監視要求で搬送されたMBMSベアラのQoSを受信することを含む。
【０１４６】
S703：リレーUEは、MBMSベアラのQoSに従って、リモートUEに送信されるべきMBMSデータの送信優先度を決定する。
【０１４７】
具体的には、リレーUEは、MBMSベアラのQoS及びMBMSベアラのQoSとMBMSデータの送信優先度との間の対応関係に従って、リモートUEに送信されるべきMBMSデータの送信優先度を決定する。対応関係は、リレーUEについて近接サービス機能エンティティ又はMMEにより設定される。
【０１４８】
S704：リレーUEは、リモートUEのMBMSデータの送信優先度に従って、リモートUEのMBMSデータを送信する。
【０１４９】
具体的には、リレーUEは、リモートUEに送信されるべきMBMSデータの決定された送信優先度に従って、MBMSデータをリモートUEに送信する。
【０１５０】
図８は、本発明の実施例５による実現方式の概略シグナリングフローチャートである。図８に示すように、この実現方式において提供されるデータ処理方法は、以下を含む。
【０１５１】
ステップ1：リレーUEは、PDN接続を確立する。
【０１５２】
ステップ2：グループ呼設定：リモートUEは、アプリケーションサーバを通じて、MBMS監視要求、例えば、グループ呼を開始する。
【０１５３】
ステップ3：アプリケーションサーバは、MBMSベアラをアクティブ化する。
【０１５４】
ステップ4a：セッションイニシエーションプロトコル（Session  Initiation  Protocol,  略称SIP）情報（グループID、TMGI及びQoS）：アプリケーションサーバは、SIP情報を使用することにより、一時移動体グループ識別子（Temporary  Mobile  Group  Identity,  略称TMGI）に対応するMBMSベアラのグループID及びQoSをリモートUEに提供する。
【０１５５】
ステップ4b：200  OK：応答メッセージである。
【０１５６】
ステップ5a〜5b：TMGI監視要求（TMGI及びQoS）及びTMGI監視応答である。
【０１５７】
ステップ6：TMGI検出：TMGIを検出した後に、リレーUEは、MBMSデータを受信し始める。
【０１５８】
ステップ7：QoSに従って、1：Mの通信の送信優先度を決定し、リレーUEは、MBMSベアラのQoSに従って、リモートUEに送信されるべきデータの送信優先度を決定する。
【０１５９】
この実施例において提供されるデータ処理方法によれば、リレーUEは、リモートUEのMBMS監視要求を受信し、MBMSベアラのQoSを取得し、MBMSベアラのQoSに従って、リモートUEに送信されるべきデータの送信優先度を決定する。ベアラのQoSに従って、リモートUEがリレーUEを使用することによりMBMS通信を実行するときのMBMSデータの送信優先度が決定されてもよく、それにより、リモートUEの通信品質を保証する。
【０１６０】
図９は、本発明の実施例によるデータ処理方法の実施例６の概略フローチャートである。図９に示すように、この実施例において提供されるデータ処理方法は、以下のステップを含む。
【０１６１】
S901：リレーUEは、リモートUEのサービスQoSを取得する。
【０１６２】
具体的には、リレーUEは、リモートUEにより送信されたデータ又はシグナリングメッセージを受信し、データ又はシグナリングメッセージは、リモートUEのサービスQoSを含む。リレーUEは、リモートUEにより送信されたデータ又はシグナリングメッセージからリモートUEのサービスQoSを取得する。サービスQoSは、リモートUEのデータの送信優先度又はデータ内の差別化サービスコードポイント（Differentiated  Services  Code  Point,  略称DSCP）値を含む。リレーUEは、リモートUEのデータの送信優先度又はデータ内のDSCP値に従って、リモートUEのサービスQoSを取得する。
【０１６３】
S902：リレーUEは、リモートUEのサービスQoSに従って、リレーUEのベアラのQoSを決定する。
【０１６４】
具体的には、リレーUEは、サービスQoSとベアラのQoSとの間の対応関係及びリモートUEのサービスQoSに従って、リレーUEのベアラのQoSを決定する。対応関係は、UEについて近接サービス機能エンティティ又はMMEにより設定される。
【０１６５】
S903：リレーUEは、リレーUEのベアラの決定されたQoSに従って、リレーUEのベアラに対する変更を開始することを決定する。
【０１６６】
具体的には、リレーUEは、ベアラ変更要求メッセージをMMEに送信し、メッセージは、決定されたQoSと、リモートUEの識別子と、パケットフィルタ情報とを含み、パケットフィルタ情報は、リモートUEのIPアドレス及びポート番号を含む。
【０１６７】
任意選択で、リレーUEが決定されたQoSに従ってベアラ変更を送信する前に、方法は、リレーUEにより、現在のベアラが決定されたQoSを満たすことができるか否かを決定し、現在のベアラが決定されたQoSを満たすことができる場合、リモートUEのデータを伝送するために、リモートUEについての情報、例えば、IPアドレス及びポート番号を含むパケットフィルタを、現在のベアラに対応するTFTに追加し、或いはそうでない場合、リレーUEにより、決定されたQoSに従ってベアラに対する変更を開始することを含む。
【０１６８】
図１０は、本発明の実施例６による実現方式の概略シグナリングフローチャートである。図１０に示すように、この実施例において提供されるデータ処理方法は、以下を含む。
【０１６９】
ステップ1：リレーUEは、PDN接続を確立し、IP-CANセッション（リレーUEのID及びリレーUEのIPアドレスを含む）を確立し、リレーUEは、リレーUEのID及びリレーUEのIPアドレスをネットワーク側のネットワークエレメントに送信し、具体的には、リレーUEは、ネットワークアタッチプロセスを使用することにより、ネットワーク側とPDN接続を確立してもよい。
【０１７０】
ステップ2：ディスカバリプロセス：リモートUEは、ディスカバリプロセスを使用することにより、リモートUEへのリレーサービスを提供できるリレーUEを発見する。
【０１７１】
ステップ3：１対１の通信の確立（リモートUEのID）：リモートUEは、リレーUEと１対１の通信を確立し、リモートUEは、リモートUEの識別子（ID）を通信要求に含めてもよい。
【０１７２】
ステップ4：IPアドレスの割り当て：リレーUEは、IPアドレスをリモートUEに割り当てる。
【０１７３】
ステップ5：リモートUEは、IPパケットをリレーUEに伝送する。
【０１７４】
ステップ6：リレーUEは、IPパケットのQoSに従って、ベアラのQoSを決定する。
【０１７５】
ステップ7：リレーUEは、要求に従って、ベアラを変更する。
【０１７６】
ステップ8：MMEは、P-GWからベアラリソース（QoS、TAD及びリモートUEのID）を要求し、ベアラリソース要求メッセージは、ベアラの決定されたQoSと、トラヒック集約記述（Traffic  Aggregate  Description,  略称TAD）と、リモートUEのIDとを含む。
【０１７７】
ステップ9：P-GWは、IP-CANセッション変更（QoS、TAD及びリモートUEのID）を開始し、セッション変更メッセージは、ベアラの決定されたQoSと、TADと、リモートUEのIDとを含む。
【０１７８】
ステップ10：加入情報要求（リモートUEのID及びリレーUEのID）：PCRFは、リモートUEのIDに従って、SPRからリモートUEの加入情報を取得する。
【０１７９】
ステップ11：フィードバック（加入情報）：SPRは、リモートUEの加入情報をPCRFにフィードバックする。
【０１８０】
ステップ12：ACK：PCRFは、応答メッセージをP-GWに返信する。
【０１８１】
ステップ13：専用ベアラ確立、変更又は削除（ベアラのQoS及びリモートUEのTFT）：P-GWは、ベアラ処理プロセスを開始する。
【０１８２】
この実施例において提供されるデータ処理方法によれば、リレーUEは、リモートUEのサービスQoSを取得し、リレーUEは、リモートUEのサービスQoSに従って、リレーUEのベアラのQoSを決定し、リレーUEは、リレーUEのベアラの決定されたQoSに従って、リレーUEのベアラに対する変更を開始することを決定し、それにより、リモートUEのサービスQoSを保証する。
【０１８３】
図１１は、本発明によるデータ処理デバイスの実施例１の概略構成図である。図１１に示すように、この実施例において提供されるデータ処理デバイスは、リモートUEの加入情報を取得するように構成された取得モジュール1101と、リモートUEの加入情報及びサービスサービス品質QoSに従って、リレーUEのQoSルールを決定するように構成された決定モジュール1102と、QoSルールをパケットデータネットワークゲートウェイPGWに送信するように構成された送信モジュール1103であり、QoSルールは、PGWにより、リレーUEのベアラを変更又は確立するために使用され、リレーUEのベアラは、リレーUEにより、リモートUEのデータを転送するために使用される送信モジュール1103とを含む。
【０１８４】
取得モジュール1101は、リモートUEの識別子に従って、加入プロファイルレポジトリSPRからリモートUEの加入情報を取得するように具体的に構成される。
【０１８５】
この実施例において提供されるデータ処理デバイスは、PGWにより送信されたリモートUEの識別子を受信するように構成された第１の受信モジュールと、リモートUEの加入情報をリレーUEのコンテキストに記憶するように構成された記憶モジュールと、リモートUEのアプリケーション機能AFエンティティからサービスQoSを受信するように構成された第２の受信モジュール、又はリレーUEにより提供されたサービスQoSを受信するように構成された第３の受信モジュールとを更に含む。
【０１８６】
送信モジュール1103は、リモートUEの識別子及びサービスデータフローテンプレートをPGWに送信するように更に構成され、サービスデータフローテンプレートは、リモートUEのIPアドレス及びポート番号についての情報を含む。
【０１８７】
具体的には、この実施例において提供されるデバイスは、図１及び図２に示す方法の実施例の技術的解決策を実行するように対応して構成されてもよく、その実現原理及び技術的効果は同様であり、詳細はここでは説明しない。
【０１８８】
図１２は、本発明によるデータ処理デバイスの実施例２の概略構成図である。図１２に示すように、この実施例において提供されるデータ処理デバイスは、PCRFエンティティにより送信されたリレーUEのQoSルールを受信するように構成された第１の受信モジュール1201であり、リレーUEのQoSルールは、PCRFにより、リモートUEの加入情報及びサービスQoSに従って決定される第１の受信モジュール1201と、リレーUEのQoSルールに従って、リレーUEのベアラを変更又は確立するように構成されたベアラ処理モジュール1202と、リレーUEのベアラを使用することにより、リモートUEのデータを送信又は受信するように構成された伝送モジュール1203とを含む。
【０１８９】
この実施例において提供されるデータ処理デバイスは、MMEにより送信されたリモートUEの識別子を受信するように構成された第２の受信モジュールと、リモートUEの識別子をPCRFに送信するように構成された送信モジュールとを更に含む。
【０１９０】
具体的には、この実施例において提供されるデバイスは、図５に示す方法の実施例の技術的解決策を実行するように対応して構成されてもよく、その実現原理及び技術的効果は同様であり、詳細はここでは説明しない。
【０１９１】
図１３は、本発明によるデータ処理デバイスの実施例３の概略構成図である。図１３に示すように、この実施例において提供されるデータ処理デバイスは、リモートUEの識別子を取得するように構成された取得モジュール1301と、リモートUEの識別子をPCRFエンティティに送信するように構成された送信モジュール1302であり、リモートUEの識別子は、PCRFエンティティにより、リモートUEの加入情報を取得するために使用される送信モジュール1302とを含む。
【０１９２】
取得モジュール1301は、リレーUEにより送信されたリモートUEの識別子を受信するように具体的に構成されるか、或いは近接サービス機能エンティティにより送信されたリモートUEの識別子を受信するように具体的に構成される。この実施例において提供されるデバイスは、リモートUEに対して許可検査を実行するように構成され、リモートUEのHSS内の加入情報及びリレーUEのHSS内の加入情報に従って、リモートUEに対して許可検査を実行するように具体的に構成された許可検査モジュールを更に含む。
【０１９３】
具体的には、この実施例において提供されるデバイスは、図６に示す方法の実施例の技術的解決策を実行するように対応して構成されてもよく、その実現原理及び技術的効果は同様であり、詳細はここでは説明しない。
【０１９４】
図１４は、本発明によるデータ処理デバイスの実施例４の概略構成図である。図１４に示すように、この実施例において提供されるデータ処理デバイスは、リモートUEのMBMS監視要求を受信するように構成された受信モジュール1401と、MBMSベアラのサービス品質QoSを取得するように構成された取得モジュール1402と、MBMSベアラのQoSに従って、リモートUEに送信されるべきMBMSデータの送信優先度を決定するように構成された決定モジュール1403と、リモートUEのMBMSデータの送信優先度に従って、リモートUEのMBMSデータを送信するように構成された送信モジュール1404とを含む。
【０１９５】
取得モジュール1402は、リモートUEからMBMSベアラのQoSを取得するように具体的に構成されるか、或いはMMEからMBMSベアラのQoSを取得するように具体的に構成されるか、或いはエボルブドNodeB  eNBからMBMSベアラのQoSを取得するように具体的に構成される。MBMS監視要求メッセージは、MBMSベアラのQoSを搬送し、取得モジュール1402は、MBMS監視要求メッセージからMBMSベアラのQoSを取得するように具体的に構成される。決定モジュール1403は、MBMSベアラのQoS及びQoSと送信優先度との間の対応関係に従って、リモートUEに送信されるべきMBMSデータの送信優先度を決定するように具体的に構成される。対応関係は、リレーUEについて近接サービス機能エンティティ又はMMEにより設定される。
【０１９６】
具体的には、この実施例において提供されるデバイスは、図７に示す方法の実施例の技術的解決策を実行するように対応して構成されてもよく、その実現原理及び技術的効果は同様であり、詳細はここでは説明しない。
【０１９７】
図１５は、本発明によるデータ処理デバイスの実施例５の概略構成図である。図１５に示すように、この実施例において提供されるデータ処理デバイスは、リモートUEのサービスサービス品質QoSを取得するように構成された取得モジュール1501と、リモートUEのサービスQoSに従って、リレーUEのベアラのQoSを決定するように構成された決定モジュール1502と、リレーUEのベアラの決定されたQoSに従って、リレーUEのベアラに対する変更を開始することを決定するように構成された変更モジュール1503と、変更されたベアラを使用することにより、リモートUEのデータを転送するように構成された転送モジュール1504とを含む。
【０１９８】
取得モジュール1501は、リモートUEにより送信されたデータ又はシグナリングメッセージを受信するように構成された受信ユニットであり、データ又はシグナリングメッセージは、リモートUEのサービスQoSを含む受信ユニットと、リモートUEにより送信されたデータ又はシグナリングメッセージからリモートUEのサービスQoSを取得するように構成された取得ユニットとを含む。
【０１９９】
サービスQoSは、リモートUEのデータの送信優先度又はデータ内の差別化サービスコードポイントDSCP値を含む。
【０２００】
決定モジュール1502は、サービスQoSとベアラのQoSとの間の対応関係及びリモートUEのサービスQoSに従って、リレーUEのベアラのQoSを決定するように具体的に構成される。対応関係は、リレーUEについて近接サービス機能エンティティ又はモビリティ管理エンティティMMEにより設定される。変更モジュール1053は、ベアラ変更要求メッセージをMMEに送信するように具体的に構成され、ベアラ変更要求メッセージは、決定されたQoSと、リモートUEの識別子と、パケットフィルタ情報とを含み、パケットフィルタ情報は、リモートUEのIPアドレス及びポート番号を含む。
【０２０１】
具体的には、この実施例において提供されるデバイスは、図９に示す方法の実施例の技術的解決策を実行するように対応して構成されてもよく、その実現原理及び技術的効果は同様であり、詳細はここでは説明しない。
【０２０２】
本発明は、データ処理デバイスを更に提供し、リモートユーザ装置UEの加入情報を取得するように構成されたプロセッサであり、プロセッサは、リモートUEの加入情報及びサービスサービス品質QoSに従って、リレーUEのQoSルールを決定するように更に構成されるプロセッサと、QoSルールをパケットデータネットワークゲートウェイPGWに送信するように構成された送信機であり、QoSルールは、PGWにより、リレーUEのベアラを変更又は確立するために使用され、リレーUEのベアラは、リレーUEにより、リモートUEのデータを転送するために使用される送信機とを含む。
【０２０３】
本発明は、データ処理デバイスを更に提供し、ポリシー及び課金ルール機能PCRFエンティティにより送信されたリレーユーザ装置UEのサービス品質QoSルールを受信するように構成された送受信機であり、リレーUEのQoSルールは、PCRFにより、リモートUEの加入情報及びサービスQoSに従って決定される送受信機と、リレーUEのQoSルールに従って、リレーUEのベアラを変更又は確立するように構成されたプロセッサとを含み、送受信機は、リレーUEのベアラを使用することにより、リモートUEのデータを送信又は受信するように構成される。
【０２０４】
本発明は、データ処理デバイスを更に提供し、リモートユーザ装置UEの識別子を取得するように構成されたプロセッサと、リモートUEの識別子をポリシー及び課金ルール機能PCRFエンティティに送信するように構成された送信機であり、リモートUEの識別子は、PCRFエンティティにより、リモートUEの加入情報を取得するために使用される送信機とを含む。
【０２０５】
本発明は、データ処理デバイスを更に提供し、
リモートUEのマルチメディアブロードキャストマルチキャストサービスMBMS監視要求を受信するように構成された受信機と、MBMSベアラのサービス品質QoSを取得するように構成されたプロセッサであり、プロセッサは、MBMSベアラのQoSに従って、リモートUEに送信されるべきMBMSデータの送信優先度を決定するように構成されるプロセッサと、リモートUEのMBMSデータの送信優先度に従って、リモートUEのMBMSデータを送信するように構成された送信機とを含む。
【０２０６】
本発明は、データ処理デバイスを更に提供し、リモートUEのサービスサービス品質QoSを取得するように構成されたプロセッサであり、プロセッサは、リモートUEのサービスQoSに従って、リレーUEのベアラのQoSを決定するように更に構成され、プロセッサは、リレーUEのベアラの決定されたQoSに従って、リレーUEのベアラに対する変更を開始することを決定するように更に構成されたプロセッサと、変更されたベアラを使用することにより、リモートUEのデータを転送するように構成された送信機とを含む。
【０２０７】
この出願において提供されるいくつかの実施例において、開示の装置及び方法は、他の方式で実現されてもよいことが理解されるべきである。例えば、記載のデバイスの実施例は、単なる例である。例えば、ユニット又はモジュールの分割は、単に論理的な機能分割であり、実際の実現では他の分割でもよい。例えば、複数のユニット又はモジュールは結合されてもよく、或いは他のシステムに統合されてもよく、或いはいくつかの特徴が無視されてもよく或いは実行されなくてもよい。さらに、表示又は説明した相互結合若しくは直接結合又は通信接続は、いくつかのインタフェースを通じて実現されてもよい。デバイス又はモジュールの間の間接結合又は通信接続は、電子的、機械的或いは他の形式で実現されてもよい。
【０２０８】
別々の部分として記載したモジュールは、物理的に別々でもよく或いは別々でなくてもよく、モジュールとして表示された部分は、物理的なモジュールでもよく或いは物理的なモジュールでなくてもよく、１つの場所に位置してもよく、或いは複数のネットワークユニットに分散されてもよい。モジュールの一部又は全部は、実施例の解決策の目的を達成するために、実際のニーズに従って選択されてもよい。
【０２０９】
当業者は、方法の実施例のステップの全部又は一部が関係するハードウェアに命令するプログラムにより実現されてもよいことを理解し得る。プログラムは、コンピュータ読み取り可能記憶媒体に記憶されてもよい。プログラムが実行するとき、方法の実施例のステップが実行される。前述の記憶媒体は、ROM、RAM、磁気ディスク又は光ディスクのようなプログラムコードを記憶できるいずれかの媒体を含む。
【０２１０】
最後に、前述の実施例は、本発明を限定することを意図するものではなく、単に本発明の技術的解決策を説明することを意図するものである点に留意すべきである。本発明について前述の実施例を参照して詳細に説明したが、当業者は、本発明の実施例の技術的解決策の範囲から逸脱することなく、依然として前述の実施例に記載の技術的解決策に変更を行ってもよく、或いはその一部又は全部の技術的特徴に等価置換を行ってもよいことを理解するべきである。
【図１】
0006535415.tif 000002
【図２】
0006535415.tif 000003
【図３】
0006535415.tif 000004
【図４】
0006535415.tif 000005
【図５】
0006535415.tif 000006
【図６】
0006535415.tif 000007
【図７】
0006535415.tif 000008
【図８】
0006535415.tif 000009
【図９】
0006535415.tif 000010
【図１０】
0006535415.tif 000011
【図１１】
0006535415.tif 000012
【図１２】
0006535415.tif 000013
【図１３】
0006535415.tif 000014
【図１４】
0006535415.tif 000015
【図１５】
0006535415.tif 000016